(57)【要約】【課題】通話者の顔面の脂によるディスプレイの表示面に対する汚染を効果的に抑制する。【解決手段】ディスプレイ１４及び操作ボタン１６を上下に配してハウジング１２の表面プレート２２に設け、受話口１８及び送話口２０を背面プレート２４に設ける。受話口１８はディスプレイ１４の上端近傍に対応する背面位置に設け、送話口２０は操作ボタン１６の下端近傍に対応する背面位置に設ける。【選択図】図１
0003120108.tif 000002
【実用新案登録請求の範囲】
【請求項１】
複数面から構成されたハウジングの適所にディスプレイ、操作ボタン、受話口及び送話口が露呈した状態で設けられた携帯電話機であって、前記受話口は前記ハウジングのディスプレイが設けられた面とは異なる面に設けられ、前記送話口は前記ハウジングの操作ボタンが設けられた面とは異なる面に設けられたことを特徴とする携帯電話機。
【請求項２】
前記ハウジングは、表面プレートと、この表面プレートに対向する背面プレートと、これら表面プレート及び背面プレートを結ぶ周面プレートとを有し、前記ディスプレイ及び前記操作ボタンは前記表面プレートに設けられ、前記受話口は前記背面プレートに設けられると共に、前記送話口は前記背面プレート又は前記周面プレートに設けられたことを特徴とする請求項１記載の携帯電話機。
【請求項３】
前記ハウジングは、表面プレートと、この表面プレートに対向する背面プレートと、これら表面プレート及び背面プレートを結ぶ周面プレートとを有し、前記ディスプレイ及び前記操作ボタンは前記表面プレートに設けられ、前記受話口は前記周面プレートに設けられると共に、前記送話口は前記周面プレート又は前記背面プレートに設けられたことを特徴とする請求項１記載の携帯電話機。
【請求項４】
前記ハウジングは、前記ディスプレイが設けられる第１のハウジングと、この第１のハウジングに連結して設けられ、前記操作ボタンが設けられる第２のハウジングとを有し、前記受話口は前記第１のハウジングのディスプレイが設けられた面とは異なる面に設けられ、前記送話口は前記第２のハウジングの操作ボタンが設けられた面とは異なる面に設けられたことを特徴とする請求項１記載の携帯電話機。
【請求項５】
前記第１のハウジングは、表面プレートと、この表面プレートに対向する背面プレートと、これら表面プレート及び背面プレートを結ぶ周面プレートとを有し、前記ディスプレイは前記第１のハウジングの表面プレートに設けられると共に、前記受話口は前記第１のハウジングの背面プレートに設けられ、前記第２のハウジングは、表面プレートと、この表面プレートに対向する背面プレートと、これら表面プレート及び背面プレートを結ぶ周面プレートとを有し、前記操作ボタンは前記第２のハウジングの表面プレートに設けられると共に、前記送話口は前記第２のハウジングの背面プレート又は周面プレートに設けられたことを特徴とする請求項４記載の携帯電話機。
【請求項６】
前記第１のハウジングは、表面プレートと、この表面プレートに対向する背面プレートと、これら表面プレート及び背面プレートを結ぶ周面プレートとを有し、前記ディスプレイは前記第１のハウジングの表面プレートに設けられると共に、前記受話口は前記第１のハウジングの周面プレートに設けられ、前記第２のハウジングは、表面プレートと、この表面プレートに対向する背面プレートと、これら表面プレート及び背面プレートを結ぶ周面プレートとを有し、前記操作ボタンは前記第２のハウジングの表面プレートに設けられると共に、前記送話口は前記第２のハウジングの周面プレート又は背面プレートに設けられたことを特徴とする請求項４記載の携帯電話機。
【請求項７】
前記受話口は、前記周面プレートに設けられたもので、通話者の耳孔に挿入可能であり、先端面に通じる貫通孔を有する突出部により構成されたものであることを特徴とする請求項３又は６記載の携帯電話機。
【請求項８】
前記突出部は前記周面プレートに対して出没可能に設けられ、前記突出部を前記周面プレートから没した状態に保持する保持機構部と、この保持機構部における突出部の保持を解除して当該突出部を前記周面プレートから外部に突出させる解除機構部とを備えたことを特徴とする請求項７記載の携帯電話機。
【考案の詳細な説明】
【技術分野】
【０００１】
本考案は、ハウジングにディスプレイ、操作ボタン、受話口及び送話口が設けられた携帯電話機に関する。
【背景技術】
【０００２】
近年、携帯電話機は、老若男女を問わず生活の必需品となっており、情報化社会の進展に伴ってますます重要なものとなってきている。この携帯電話機は、例えば図８に示すように、ハウジング２０１の表面プレートの上半部に、文字や絵柄などの画像を表示するためのディスプレイ２０２が設けられ、その下半部に電話番号や文字などを入力するためのダイヤルボタン、発信などの機能を設定するための機能ボタンなどを含む操作ボタン２０３が設けられている。また、ハウジング２０１の表面プレートにおけるディスプレイ２０２の上部には、通話時に使用者の耳介に宛がう受話口２０４が設けられ、ハウジング２０１の表面プレートにおける操作ボタン２０３の下部には、通話時に使用者の口元に宛がう送話口２０５が設けられている（例えば、特許文献１）。
【特許文献１】特開２００２―７７３５４号公報
【考案の開示】
【考案が解決しようとする課題】
【０００３】
上記従来の携帯電話機では、受話口２０４がハウジング２０１のディスプレイ２０２が設けられた面と同一の面に設けられているため、通話時に受話口２０４を使用者の耳介に宛がったとき、ディスプレイ２０２の表示面が通話者の顔面に触れることでディスプレイ２０２の表示面が皮膚から分泌される脂によって汚染されることになる。このため、ディスプレイ２０２の表示面の表示内容が見づらくなるだけでなく、美観面でも好ましくない状態となることから、頻繁にディスプレイ２０２の表示面をクリーニングしなければならなくなるという問題があった。
【０００４】
本考案は、このような事情に鑑みてなされたもので、通話者の顔面の脂によるディスプレイの表示面に対する汚染を効果的に抑制し得るようにした携帯電話機を提供することを目的とする。
【課題を解決するための手段】
【０００５】
上記目的を達成するため、請求項１の考案は、複数面から構成されたハウジングの適所にディスプレイ、操作ボタン、受話口及び送話口が露呈した状態で設けられた携帯電話機であって、前記受話口は前記ハウジングのディスプレイが設けられた面とは異なる面に設けられ、前記送話口は前記ハウジングの操作ボタンが設けられた面とは異なる面に設けられたことを特徴としている。
【０００６】
請求項２の考案は、請求項１に係るものにおいて、前記ハウジングが、表面プレートと、この表面プレートに対向する背面プレートと、これら表面プレート及び背面プレートを結ぶ周面プレートとを有し、前記ディスプレイ及び前記操作ボタンが前記表面プレートに設けられ、前記受話口が前記背面プレートに設けられると共に、前記送話口が前記背面プレート又は前記周面プレートに設けられたことを特徴としている。
【０００７】
請求項３の考案は、請求項１に係るものにおいて、前記ハウジングが、表面プレートと、この表面プレートに対向する背面プレートと、これら表面プレート及び背面プレートを結ぶ周面プレートとを有し、前記ディスプレイ及び前記操作ボタンが前記表面プレートに設けられ、前記受話口が前記周面プレートに設けられると共に、前記送話口が前記周面プレート又は前記背面プレートに設けられたことを特徴としている。
【０００８】
請求項４の考案は、請求項１に係るものにおいて、前記ハウジングが、前記ディスプレイが設けられる第１のハウジングと、この第１のハウジングに連結して設けられ、前記操作ボタンが設けられる第２のハウジングとを有し、前記受話口が前記第１のハウジングのディスプレイが設けられた面とは異なる面に設けられ、前記送話口が前記第２のハウジングの操作ボタンが設けられた面とは異なる面に設けられたことを特徴としている。
【０００９】
請求項５の考案は、請求項４に係るものにおいて、前記第１のハウジングが、表面プレートと、この表面プレートに対向する背面プレートと、これら表面プレート及び背面プレートを結ぶ周面プレートとを有し、前記ディスプレイが前記第１のハウジングの表面プレートに設けられると共に、前記受話口が前記第１のハウジングの背面プレートに設けられ、前記第２のハウジングが、表面プレートと、この表面プレートに対向する背面プレートと、これら表面プレート及び背面プレートを結ぶ周面プレートとを有し、前記操作ボタンが前記第２のハウジングの表面プレートに設けられると共に、前記送話口が前記第２のハウジングの背面プレート又は周面プレートに設けられたことを特徴としている。
【００１０】
請求項６の考案は、請求項４に係るものにおいて、前記第１のハウジングが、表面プレートと、この表面プレートに対向する背面プレートと、これら表面プレート及び背面プレートを結ぶ周面プレートとを有し、前記ディスプレイが前記第１のハウジングの表面プレートに設けられると共に、前記受話口が前記第１のハウジングの周面プレートに設けられ、前記第２のハウジングが、表面プレートと、この表面プレートに対向する背面プレートと、これら表面プレート及び背面プレートを結ぶ周面プレートとを有し、前記操作ボタンが前記第２のハウジングの表面プレートに設けられると共に、前記送話口が前記第２のハウジングの周面プレート又は背面プレートに設けられたことを特徴としている。
【００１１】
請求項７の考案は、請求項３又は６に係るものにおいて、前記受話口が、前記周面プレートに設けられたもので、通話者の耳孔に挿入可能であり、先端面に通じる貫通孔を有する突出部により構成されたものであることを特徴としている。
【００１２】
請求項８の考案は、請求項７に係るものにおいて、前記突出部が前記周面プレートに対して出没可能に設けられ、前記突出部を前記周面プレートから没した状態に保持する保持機構部と、この保持機構部における突出部の保持を解除して当該突出部を前記周面プレートから外部に突出させる解除機構部とを備えたことを特徴としている。
【考案の効果】
【００１３】
請求項１の考案によれば、複数面から構成されたハウジングのディスプレイが設けられている面とは異なる面に設けられた受話口を耳介に宛がうと共に、ハウジングの操作ボタンが設けられている面とは異なる面に設けられた送話口を口元に近づけるようにして相手方と通話することになる。このため、ハウジングの表面プレートに設けられているディスプレイは、その表示面が通話者の顔面に対向しないことから、ディスプレイの表示面が通話者の顔面に接触しないようになり、表示面が脂で汚染されることを効果的に抑制することができる。
【００１４】
請求項２の考案によれば、ハウジングのディスプレイが設けられている表面プレートとは異なる面である背面プレートに設けられた受話口を耳介に宛がうと共に、ハウジングの操作ボタンが設けられている表面プレートとは異なる面である背面プレート又は周面プレートに設けられた送話口を口元に近づけるようにして相手方と通話することになる。このため、ハウジングの表面プレートに設けられているディスプレイは、その表示面が通話者の顔面に対し反対側に位置することから、ディスプレイの表示面が通話者の顔面に接触しないようになり、表示面が脂で汚染されることを効果的に抑制することができる。
【００１５】
請求項３の考案によれば、ハウジングのディスプレイが設けられている表面プレートとは異なる面である周面プレートに設けられた受話口を耳介に宛がうと共に、ハウジングの操作ボタンが設けられている表面プレートとは異なる面である周面プレート又は背面プレートに設けられた送話口を口元に近づけるようにして相手方と通話することになる。このため、ハウジングの表面プレートに設けられているディスプレイは、その表示面が通話者の顔面に対し横を向いた立直した状態になることから、ディスプレイの表示面が通話者の顔面に接触しないようになり、表示面が脂で汚染されることを効果的に抑制することができる。
【００１６】
請求項４の考案によれば、第１のハウジングのディスプレイが設けられている面とは異なる面に設けられた受話口を耳介に宛がうと共に、第２のハウジングの操作ボタンが設けられている面とは異なる面に設けられた送話口を口元に近づけるようにして相手方と通話することになる。このため、第１のハウジングの表面プレートに設けられているディスプレイは、その表示面が通話者の顔面に対向しないことから、ディスプレイの表示面が通話者の顔面に接触しないようになり、表示面が脂で汚染されることを効果的に抑制することができる。
【００１７】
請求項５の考案によれば、第１のハウジングのディスプレイが設けられている表面プレートとは異なる面である背面プレートに設けられた受話口を耳介に宛がうと共に、第２のハウジングの操作ボタンが設けられている表面プレートとは異なる面である背面プレート又は周面プレートに設けられた送話口を口元に近づけるようにして相手方と通話することになる。このため、第１のハウジングの表面プレートに設けられているディスプレイは、その表示面が通話者の顔面に対し反対側に位置することから、ディスプレイの表示面が通話者の顔面に接触しないようになり、表示面が脂で汚染されることを効果的に抑制することができる。
【００１８】
請求項６の考案によれば、第１のハウジングのディスプレイが設けられている表面プレートとは異なる面である周面プレートに設けられた受話口を耳介に宛がうと共に、第２のハウジングの操作ボタンが設けられている表面プレートとは異なる面である周面プレート又は背面プレートに設けられた送話口を口元に近づけるようにして相手方と通話することになる。このため、第１のハウジングの表面プレートに設けられているディスプレイは、その表示面が通話者の顔面に対し横を向いた立直した状態になることから、ディスプレイの表示面が通話者の顔面に接触しないようになり、表示面が脂で汚染されることを効果的に抑制することができる。
【００１９】
請求項７の考案によれば、ハウジング（又は、第１のハウジング）のディスプレイが設けられている表面プレートとは異なる面である周面プレートに設けられた受話口を構成する突出部を耳穴に挿入すると共に、ハウジング（又は、第２のハウジング）の操作ボタンが設けられている表面プレートとは異なる面である周面プレート又は背面プレートに設けられた送話口を口元に近づけるようにして相手方と通話することになる。このため、ハウジング（又は、第１のハウジング）の表面プレートに設けられているディスプレイは、その表示面が通話者の顔面に対し横を向いた立直した状態になることから、ディスプレイの表示面が通話者の顔面に接触しないようになり、表示面が脂で汚染されることを効果的に抑制することができる。
【００２０】
請求項８の考案によれば、非通話時には、ハウジング（又は、第１のハウジング）のディスプレイが設けられている表面プレートとは異なる面である周面プレートに設けられた受話口を構成する突出部を保持機構部により周面プレートから没した状態に保持する一方、通話時には、解除機構部により保持を解除して受話口を構成する突出部を周面プレートから外部に突出させ、この突出させた受話口を構成する突出部を耳穴に挿入すると共に、ハウジング（又は、第２のハウジング）の操作ボタンが設けられている表面プレートとは異なる面である周面プレート又は背面プレートに設けられた送話口を口元に近づけるようにして相手方と通話することになる。このため、通話時には、ハウジング（又は、第１のハウジング）の表面プレートに設けられているディスプレイは、その表示面が通話者の顔面に対し横を向いた立直した状態になることから、ディスプレイの表示面が通話者の顔面に接触しないようになり、表示面が脂で汚染されることを効果的に抑制することができる。
【考案を実施するための最良の形態】
【００２１】
図１は、本考案の第１の実施形態に係る携帯電話機の要部を示す外観構成図で、（ａ）は正面図、（ｂ）は側面図、（ｃ）は背面図である。この図において、携帯電話機１０ａは、ハウジング１２、ディスプレイ１４、操作ボタン１６、受話口１８及び送話口２０を備えている。
【００２２】
ハウジング１２は、合成樹脂などにより扁平状（例えば、直方体形状）に構成されたもので、表面プレート２２と、この表面プレート２２に対向する背面プレート２４と、これら表面プレート２２及び背面プレート２４を結ぶ四面からなる周面プレート２６とからなるものである。ディスプレイ１４は、液晶表示装置などで構成され、文字や絵柄などの画像を表示するためのものであり、ハウジング１２の表面プレート２２の略上半部に表示面が露呈するように設けられている。
【００２３】
操作ボタン１６は、電話番号や文字などを入力するためのダイヤルボタン２８、設定した機能を決定するための決定ボタン３０、電源ボタン３２、発信ボタン３４などを備えたものであり、ハウジング１２の表面プレート２２の略下半部にタッチ面が露呈するように設けられている。
【００２４】
受話口１８は、通話者の耳介に宛がうことでスピーカから出力される受信した相手方の音声を聞くための開口（貫通孔）からなるものであり、ハウジング１２をディスプレイ１４が上方に位置し、操作ボタン１６が下方に位置する状態に立直させた場合の背面プレート２４におけるディスプレイ１４の上端近傍に対応する位置に設けられている。
【００２５】
送話口２０は、通話者の口元に近づけることで通話者が発した音声をマイクロホンに伝達するための開口（貫通孔）からなるものであり、ハウジング１２を操作ボタン１６が下方に位置し、ディスプレイ１４が上方に位置する状態に立直させた場合の背面プレート２４における操作ボタン１６の下端近傍に対応する位置に設けられている。
【００２６】
ハウジング１２の内部には、操作ボタン１６に対応する位置に配設された接点基板３８、受話口１８に対応する位置に配設されたスピーカ４０、送話口２０に対応する位置に配設されたマイクロホン４２、アンテナで受信した相手方の通話信号を復調して増幅し、音声としてスピーカ４０から出力させる受信回路、マイクロホン４２で集音した通話者の音声を増幅して変調し、アンテナを介して相手方に送信する送信回路、ディスプレイ１４を駆動する画像表示回路などの所定の回路が構成された回路基板４４、回路基板４４の各回路に電力を供給するためのものであり、背面プレート２４に近接した位置に配設されたバッテリーパック４６などが収納されている。
【００２７】
このように構成された携帯電話機１０ａは、ハウジング１２の背面プレート２４に設けられている受話口１８を耳介に宛がうと共に、送話口２０を口元に近づけるようにして相手方と通話することになる。このため、ハウジング１２の表面プレート２２に設けられているディスプレイ１４は、その表示面が通話者の顔面に対し反対側に位置することになり、通話者の顔面に接触しないようになることで表示面が脂で汚染されることが効果的に抑制される。
【００２８】
図２は、本考案の第２の実施形態に係る携帯電話機の要部を示す外観構成図で、（ａ）は正面図、（ｂ）は側面図、（ｃ）は背面図である。この第２の実施形態に係る携帯電話機１０ｂは、第１の実施形態に係る携帯電話機１０ａと基本的には同一の構成要素からなるものである。このため、同一の機能を有する構成要素については同一の符号を付与することにより詳細な説明を省略し、以下には第１の実施形態に係る携帯電話機１０ａとの相違点を中心に説明する。
【００２９】
この第２の実施形態に係る携帯電話機１０ｂは、ハウジング１２が第１のハウジング５０と第２のハウジング５２とから構成されており、両者の境界部に配設された回転支持シャフト５３により連結されてなる開閉自在の周知の二つ折り構造とされたものである点で第１の実施形態に係る携帯電話機１０ａと相違している。
【００３０】
すなわち、第１のハウジング５０は、合成樹脂などにより扁平状に構成されたもので、表面プレート５４と、この表面プレート５４に対向する背面プレート５６と、これら表面プレート５４及び背面プレート５６を結ぶ四面からなる周面プレート５８とからなるものであり、第２のハウジング５２は、第１のハウジング５０と同様に、合成樹脂などにより扁平状に構成されたもので、表面プレート６０と、この表面プレート６０に対向する背面プレート６２と、これら表面プレート６０及び背面プレート６２を結ぶ四面からなる周面プレート６４とからなるものである。
【００３１】
このような二つ折り構造とされたハウジング１２において、第１のハウジング５０の表面プレート５４には、ディスプレイ１４が配設されており、第１のハウジング５０の背面プレート５６には、第１のハウジング５０が第２のハウジング５２の上方に位置するように第１，第２のハウジング５０，５２を開けた状態にした場合のディスプレイ１４の上端近傍に対応する位置に受話口１８が配設されている。
【００３２】
また、第２のハウジング５２の表面プレート６０には、操作ボタン１６が配設されており、第２のハウジング５２の背面プレート６２には、第２のハウジング５２が第１のハウジング５０の下方に位置するように第１，第２のハウジング５０，５２を開けた状態にした場合の操作ボタン１６の下端近傍に対応する位置に送話口２０が配設されている。
【００３３】
また、第１のハウジング５０の内部には、受話口１８に対応する位置にスピーカ４０が配設され、第２のハウジング５２の内部には、操作ボタン１６に対応する位置に接点基板３８が、送話口２０に対向する位置にマイクロホン４２が、中央部に回路基板４４が、背面プレート６２に近い位置にバッテリーパック４６がそれぞれ配設されている。
【００３４】
このように構成された携帯電話機１０ｂは、非通話時には、第１のハウジング５０と第２のハウジング５２とがディスプレイ１４と操作ボタン１６が互いに対向するように回転支持シャフト５３を境にして閉じられることで二つ折りにされた状態となっているが、通話時には、第１のハウジング５０と第２のハウジング５２とが各表面プレート５４、６０のなす角度が鈍角となるように開けられて操作ボタン１６の操作が可能な状態とされる（図２（ｂ）の実線で示す状態）。
【００３５】
そして、所定の操作ボタン１６の操作が終了すると、第１のハウジング５０と第２のハウジング５２とが各背面プレート５６、６２のなす角度が鈍角となるようにさらに開けられ（図２（ｂ）の鎖線で示す状態）、この状態で第１のハウジング５０の背面プレート５６に設けられている受話口１８を耳介に宛がうと共に、送話口２０を口元に近づけるようにして相手方と通話することになる。このため、第１のハウジング５０の表面プレート５４に設けられているディスプレイ１４は、その表示面が通話者の顔面に対し反対側に位置することになり、通話者の顔面に接触しないようになることで表示面が脂で汚染されることが効果的に抑制される。
【００３６】
図３は、本考案の第３の実施形態に係る携帯電話機の要部を示す外観構成図で、（ａ）は正面図、（ｂ）は側面図、（ｃ）は背面図である。この第３の実施形態に係る携帯電話機１０ｃは、第１の実施形態に係る携帯電話機１０ａと基本的には同一の構成要素からなるものである。このため、同一の機能を有する構成要素については同一の符号を付与することにより詳細な説明を省略し、以下には第１の実施形態に係る携帯電話機１０ａとの相違点を中心に説明する。
【００３７】
この第３の実施形態に係る携帯電話機１０ｃは、第２の実施形態に係る携帯電話機１０ｂと同様に、ハウジング１２が第１のハウジング７０と第２のハウジング７２とから構成されており、第１のハウジング７０が第２のハウジング７２面に沿って移動自在に連結されてなる周知のスライド構造とされたものである点で第１の実施形態に係る携帯電話機１０ａと相違している。
【００３８】
すなわち、第１のハウジング７０は、合成樹脂などにより扁平状に構成されたもので、表面プレート７４と、この表面プレート７４に対向する背面プレート７６と、これら表面プレート７４及び背面プレート７６を結ぶ四面からなる周面プレート７８とからなるものであり、第２のハウジング７２は、第１のハウジング７０と同様に、合成樹脂などにより扁平状に構成されたもので、表面プレート８０と、この表面プレート８０に対向する背面プレート８２と、これら表面プレート８０及び背面プレート８２を結ぶ四面からなる周面プレート８４とからなるものである。
【００３９】
このようなスライド構造とされたハウジング１２において、第１のハウジング７０の表面プレート７４には、ディスプレイ１４が配設されており、第１のハウジング７０の背面プレート７６には、第１のハウジング７０が第２のハウジング７２の上方に位置するように第１，第２のハウジング７０，７２をスライドさせて開けた状態にした場合のディスプレイ１４の上端近傍に対応する位置に受話口１８が配設されている。
【００４０】
また、第２のハウジング７２の表面プレート８０には、操作ボタン１６が配設されており、第２のハウジング７２の背面プレート８２には、第２のハウジング７２が第１のハウジング７０の下方に位置するように第１，第２のハウジング７０，７２をスライドさせて開けた状態にした場合の操作ボタン１６の下端近傍に対応する位置に送話口２０が配設されている。
【００４１】
また、第１のハウジング７０の内部には、受話口１８に対応する位置にスピーカ４０が配設され、第２のハウジング７２の内部には、操作ボタン１６に対応する位置に接点基板３８が、送話口２０に対向する位置にマイクロホン４２が、中央部に回路基板４４が、背面プレート８２に近い位置にバッテリーパック４６がそれぞれ配設されている。
【００４２】
このように構成された携帯電話機１０ｃは、非通話時には、第１のハウジング７０がディスプレイ１４を表面に露呈させた状態で第２のハウジング７２面をスライドさせることで第２のハウジング７２面を覆った状態となっているが、通話時には、第１のハウジング７０がスライドされて第２のハウジング７２から離反されることで操作ボタン１６の操作が可能な状態とされる。
【００４３】
そして、所定の操作ボタン１６の操作が終了すると、第１のハウジング７０の背面プレート７６に設けられている受話口１８を耳介に宛がうと共に、送話口２０を口元に近づけるようにして相手方と通話することになる。このため、第１のハウジング７０の表面プレート７４に設けられているディスプレイ１４は、その表示面が通話者の顔面に対し反対側に位置することになり、通話者の顔面に接触しないようになることで表示面が脂で汚染されることが効果的に抑制される。
【００４４】
図４は、本考案の第４の実施形態に係る携帯電話機の要部を示す外観構成図で、（ａ）は正面図、（ｂ）は側面図である。この第４の実施形態に係る携帯電話機１０ｄは、第１の実施形態に係る携帯電話機１０ａと基本的には同一の構成要素からなるものである。このため、同一の機能を有する構成要素については同一の符号を付与することにより詳細な説明を省略し、以下には第１の実施形態に係る携帯電話機１０ａとの相違点を中心に説明する。
【００４５】
この第４の実施形態に係る携帯電話機１０ｄは、受話口１８と送話口２０とがハウジング１２の周面プレート２６に設けられたものであり、受話口１８が通話者の耳孔に挿入可能な形状の突出部８６により構成されたものである点で第１の実施形態に係る携帯電話機１０ａと相違している。
【００４６】
すなわち、受話口１８を構成する突出部８６は、ハウジング１２を構成する材料と同一の材料などにより周面プレート２６に一体に構成された略円錐台形形状を有するもので、先端面に通じる貫通孔８８が形成されており、ハウジング１２をディスプレイ１４が上方に位置し、操作ボタン１６が下方に位置するように立直させた状態での周面プレート２６の上面左部に設けられたものである。また、送話口２０は、周面プレート２６の左側面中央部近傍に設けられている。なお、突出部８６の貫通孔８８は、ハウジング１２内の開口端がスピーカ４０に向くように形成されている。
【００４７】
このように構成された第４の実施形態に係る携帯電話機１０ｄは、通話時には受話口１８を構成する突出部８６を通話者の耳孔に挿入し（すなわち、受話口１８を耳介に宛がって）、送話口２０を通話者の口元に近づけた状態で使用されることになる。このため、ハウジング１２の表面プレート２２に設けられているディスプレイ１４は、その表示面が通話者の顔面に対し横を向いた立直した状態になり、通話者の顔面に接触しないようになることで表示面が脂で汚染されることが効果的に抑制される。
【００４８】
図５は、本考案の第５の実施形態に係る携帯電話機の要部を示す外観構成図で、（ａ）は正面図、（ｂ）は側面図である。この第５の実施形態に係る携帯電話機１０ｅは、第４の実施形態に係る携帯電話機１０ｄと同一の構成要素からなるものである。このため、同一の機能を有する構成要素については同一の符号を付与することにより詳細な説明を省略し、以下には第４の実施形態に係る携帯電話機１０ｄとの相違点を中心に説明する。
【００４９】
この第５の実施形態に係る携帯電話機１０ｅは、突出部８６により構成された受話口１８が四面からなる周面プレート２６の送話口２０が設けられた面と同じ左側面に設けられたものである点で第４の実施形態に係る携帯電話機１０ｄと相違している。
【００５０】
すなわち、受話口１８を構成する突出部８６が、ハウジング１２をディスプレイ１４が上方に位置し、操作ボタン１６が下方に位置するように立直させた状態での周面プレート２６の左側面上部に設けられ、送話口２０が、周面プレート２６の左側面下部に設けられている。
【００５１】
このように構成された第５の実施形態に係る携帯電話機１０ｅは、第４の実施形態に係る携帯電話機１０ｄと同様に、通話時には受話口１８を構成する突出部８６を通話者の耳孔に挿入し（すなわち、受話口１８を耳介に宛がって）、送話口２０を通話者の口元に宛がった状態で使用されることになる。このため、ハウジング１２の表面プレート２２に設けられているディスプレイ１４は、その表示面が通話者の顔面に対し横を向いた立直した状態になり、通話者の顔面に接触しないようになることで表示面が脂で汚染されることが効果的に抑制される。また、通話時には、受話口１８を構成する突出部８６を通話者の耳孔に挿入した状態で使用されるものであるため、周囲が騒音で喧しい場合であっても相手方の音声を確実に聞くことができるという利点をも有している。
【００５２】
図６は、本考案の第６の実施形態に係る携帯電話機の要部を示す外観構成図で、（ａ）は正面図、（ｂ）は側面図、（ｃ）は使用態様を示す正面図である。この第６の実施形態に係る携帯電話機１０ｆは、第５の実施形態に係る携帯電話機１０ｅと基本的には同一の構成要素からなるものである。このため、同一の機能を有する構成要素については同一の符号を付与することにより詳細な説明を省略し、以下には第５の実施形態に係る携帯電話機１０ｅとの相違点を中心に説明する。
【００５３】
この第６の実施形態に係る携帯電話機１０ｆは、受話口１８を構成する突出部８６がハウジング１２の周面プレート２６に対して出没可能に設けられており、非通話時にはその突出部８６を周面プレート２６から没した状態に保持させる一方、通話時にはその保持を解除して周面プレート２６から外部に突出させるように構成されたものである点で第５の実施形態に係る携帯電話機１０ｅと相違している。
【００５４】
このため、第６の実施形態に係る携帯電話機１０ｆは、図７に示すように、受話口１８を構成する突出部８６がハウジング１２の周面プレート２６に対して出没可能に設けられる一方、この出没可能に設けられた突出部８６を周面プレート２６から没した状態に保持する保持機構部９０と、この保持機構部９０により保持されている突出部８６の保持を通話者の操作により解除する解除機構部９２とを備えている。
【００５５】
すなわち、受話口１８を構成する突出部８６の後端に支持シャフト９４が同軸状に設けられており、この突出部８６を周面プレート２６に対して出没可能に挿通させる大きさの貫通孔９６がハウジング１２の周面プレート２６に形成され、ハウジング１２内に支持シャフト９４を移動自在に支持する支持板９８が設けられている。これにより、突出部８６が周面プレート２６の貫通孔９６に挿通され、支持シャフト９４が支持板９８に支持されることで突出部８６が周面プレート２６に対して出没可能とされている。
【００５６】
また、保持機構部９０は、支持シャフト９４の端部に一体に形成されたもので、先端側が先細り状となる傾斜面を有し、後端に立壁からなる係止面を有する膨出状の係止部１００と、この係止部１００を抜け止め状に保持する一対の板状部材１０２、１０４と、突出部８６と支持板９８との間に介在させることで突出部８６を外部に突出させる方向に付勢する圧縮コイルばね１０６とから構成されている。この一対の板状部材１０２、１０４は、支持ピン１０８、１１０により回動自在に支持されており、先端に支持シャフト９４に形成された係止部１００に係止させる鉤部材１１２、１１４が形成されたもので、押さえばね１１６、１１８により互いに内側に向かう方向の付勢力が与えられたものである。
【００５７】
これにより、圧縮コイルばね１０６の作用で周面プレート２６の外部に突出している突出部８６をハウジング１２内に押し込むようにすると、係止部１００の先端側の傾斜面により一対の板状部材１０２、１０４が押さえばね１１６、１１８による付勢力に抗して回動され、互いに離反する方向に押し広げられて係止部１００が一対の板状部材１０２、１０４間の空間内に進入し、鉤部材１１２、１１４が係止部１００の係止面に係止されることになる結果、図７（ａ）に示すように、突出部８６が圧縮コイルばね１０６による付勢力に抗して周面プレート２６から没した状態で保持されることになる。
【００５８】
また、解除機構部９２は、内部に侵入することで一対の板状部材１０２、１０４に当接し、一対の板状部材１０２、１０４を押さえばね１１６、１１８による付勢力に抗して回動させることで互いに離反する方向に押し広げる膨出部材１２０と、この膨出部材１２０の背面に一体に形成され、支持板１２２に移動自在に挿通されて支持される支持シャフト１２４と、この支持シャフト１２４の先端に一体に形成されたノブ１２６と、支持板１２２とノブ１２６との間に介挿され、膨出部材１２０を一対の板状部材１０２、１０４から離反させると共に、ノブ１２６の一部を周面プレート２６の外部に突出させる方向の付勢力を付与する圧縮コイルばね１２８とから構成されている。
【００５９】
これにより、圧縮コイルばね１２８の作用で周面プレート２６の外部に突出しているノブ１２６をハウジング１２内に押し込むようにすると、膨出部材１２０が一対の板状部材１０２、１０４に当接することにより一対の板状部材１０２、１０４が押さえばね１１６、１１８による付勢力に抗して回動することで互いに離反する方向に押し広げられ、係止部１００の係止面に係止されている鉤部材１１２、１１４が係止面から離脱することになる結果、図７（ｂ）に示すように、突出部８６が圧縮コイルばね１０６による付勢力により周面プレート２６の外部に突出されることになる。
【００６０】
なお、押し込んだノブ１２６は、押し込む動作を解除することで圧縮コイルばね１２８により周面プレート２６の外部に突出した元の位置に戻される。また、スピーカ４０は、受話口１８を構成する突出部８６が周面プレート２６の外部に突出した状態での突出部８６の近傍位置に設けられており、突出部８６に設けられている貫通孔８８（図４、図５）の開口端がスピーカ４０に向くように形成されている。
【００６１】
このように構成された第６の実施形態に係る携帯電話機１０ｆは、第５の実施形態に係る携帯電話機１０ｄと同様に、通話時には、図６（ｃ）に示すように、受話口１８を構成する突出部８６を周面プレート２６から突出させた状態にしたうえで、この突出部８６を通話者の耳孔に挿入し（すなわち、受話口１８を耳介に宛がって）、送話口２０を通話者の口元に近づけた状態で使用されることになる。このため、ハウジング１２の表面プレート２２に設けられているディスプレイ１４は、その表示面が通話者の顔面に対し横を向いた立直した状態になり、通話者の顔面に接触しないようになることで表示面が脂で汚染されることが効果的に抑制される。
【００６２】
また、通話時には、受話口１８を構成する突出部８６を通話者の耳孔に挿入した状態で使用されるため、周囲が騒音で喧しい場合であっても相手方の音声を確実に聞くことができるという利点を有すると共に、非通話時には、受話口１８を構成する突出部８６を周面プレート２６から没した状態に維持することができるため、携帯に支障を生じさせることもないという利点をも有している。
【００６３】
なお、本考案は、上記した各実施形態のものに限定されるものではなく、以下に述べるような種々の変形態様を必要に応じて採用することができる。
【００６４】
（１）上記第１の実施形態では、受話口１８及び送話口２０は、いずれも背面プレート２４に設けられているが、これに限るものではない。例えば、受話口１８及び送話口２０を周面プレート２６に設けたり、受話口１８を背面プレート２４に設け、送話口２０のみを周面プレート２６に設けたりすることもできる。要は、受話口１８がハウジング１２のディスプレイ１４が設けられた面とは異なる面に設けられ、送話口２０がハウジング１２の操作ボタン１６が設けられた面とは異なる面に設けられておればよい。
【００６５】
（２）上記第２の実施形態では、受話口１８は、第１のハウジング５０の背面プレート５６に設けられているが、これに限るものではない。例えば、受話口１８を四面からなる周面プレート５８の側面適所に設けるようにすることもできる。また、送話口２０は、第２のハウジング５２の背面プレート６２に設けられているが、これに限るものではない。例えば、送話口２０を四面からなる周面プレート６２の側面適所に設けるようにすることもできる。
【００６６】
（３）上記第３の実施形態では、受話口１８は、第１のハウジング７０の背面プレート７６に設けられているが、これに限るものではない。例えば、受話口１８を四面からなる周面プレート７８の側面適所に設けるようにすることもできる。また、送話口２０は、第２のハウジング７２の背面プレート８２に設けられているが、これに限るものではない。例えば、送話口２０を四面からなる周面プレート８４の側面適所に設けるようにすることもできる。
【００６７】
（４）上記第４、第５の実施形態では、受話口１８を構成する突出部８６を周面プレート２６に設けるようにしているが、これに限るものではない。例えば、受話口１８を構成する突出部８６を背面プレート２４に設けるようにしてもよい。また、受話口１８を構成する突出部８６は、ディスプレイ１４及び操作ボタン１６を一体に備えたハウジング１２に設けたものであるが、ハウジング１２が図２及び図３に示す２つのハウジング（表面プレートにディスプレイ１４が配設される第１のハウジング５０、７０及び表面プレートに操作ボタン１６が配設される第２のハウジング５２、７２）により構成された構造のものにも適用可能である。この場合、受話口１８を構成する突出部８６は、第１のハウジング５０、７０の周面プレート５８、７８に設けられることになる。
【００６８】
（５）上記第４、第５の実施形態では、受話口１８を構成する突出部８６をハウジング１２と同一材料で構成しているが、これに限るものではない。例えば、受話口１８を構成する突出部８６を金属材料で構成し、この突出部８６にアンテナとしての機能を持たせるようにすることもできる。
【００６９】
（６）上記第５の実施形態では、通話者がノブ１２６をハウジング１２内に押し込むことにより保持機構部９０による突出部８６の保持を解除するようにしているが、これに限るものではない。例えば、ハウジング１２を図２に示す２つのハウジング５０、５２により構成された二つ折り構造のものに適用した場合、２つのハウジング５０、５２を開いたときに連動してノブ１２６がハウジング１２内に押し込まれる構成としたり、ハウジング１２を図３に示す２つのハウジング７０、７２により構成されスライド構造のものに適用した場合、２つのハウジング７０、７２をスライドさせて通話可能状態にしたときに連動させてノブ１２６がハウジング１２内に押し込まれる構成としたりすることもできる。
【００７０】
（７）上記第６の実施形態では、保持機構部９０が一対の板状部材１０２、１０４の鉤部材１１２、１１４を係止部１００の係止面に係止させる構成とされ、解除機構部９２が一対の板状部材１０２、１０４を押し広げることで鉤部材１１２、１１４を係止部１００の係止面から離脱させる構成とされたものであるが、これに限るものではない。例えば、保持機構部９０及び解除機構部９２を、突出部８６を周面プレートに対して出没（進退）させるモータなどを用いた電子的制御構成のものとすることも可能である。
【００７１】
（８）上記第２の実施形態では、第１のハウジング５０及び第２のハウジング５２は二つ折り構造とされ、上記第３の実施形態では、第１のハウジング７０及び第２のハウジング７２はスライド構造とされたものであるが、これに限るものではない。例えば、第１のハウジング５０、７０を第２のハウジング５２、７２に対し支持軸を中心にして回転可能にする周知の回転構造とすることもできる。
【図面の簡単な説明】
【００７２】
【図１】本考案の第１の実施形態に係る携帯電話機の構成を示す図で、（ａ）は正面図、（ｂ）は側面図、（ｃ）は背面図である。
【図２】本考案の第２の実施形態に係る携帯電話機の構成を示す図で、（ａ）は正面図、（ｂ）は側面図、（ｃ）は背面図である。
【図３】本考案の第３の実施形態に係る携帯電話機の構成を示す図で、（ａ）は正面図、（ｂ）は側面図、（ｃ）は背面図である。
【図４】本考案の第４の実施形態に係る携帯電話機の構成を示す図で、（ａ）は正面図、（ｂ）は側面図である。
【図５】本考案の第５の実施形態に係る携帯電話機の構成を示す図で、（ａ）は正面図、（ｂ）は側面図である。
【図６】本考案の第６の実施形態に係る携帯電話機の構成を示す図で、（ａ）は正面図、（ｂ）は側面図、（ｃ）は使用態様を示す正面図である。
【図７】図６に示す携帯電話機の受話口を構成する突出部の保持機構及び保持解除機構を示す図で、（ａ）は周面プレートから没した突出部が保持機構により保持された状態を示す図、（ｂ）は保持機構による保持が解除されて突出部が周面プレートから突出した状態を示す図である。
【図８】従来例の携帯電話機の構成を示す正面図である。
【符号の説明】
【００７３】
１０ａ、１０ｂ、１０ｃ、１０ｄ、１０ｅ、１０ｆ  携帯電話機
１２  ハウジング
１４  ディスプレイ
１６  操作ボタン
１８  受話口
２０  送話口
２２、５４、６０、７４、８０  表面プレート
２４、５６、６２、７６、８２  背面プレート
２６、５８、６４、７８、８４  周面プレート
５０、７０  第１のハウジング
５２、７２  第２のハウジング
８６  突出部
８８  貫通孔
９０  保持機構部
９２  解除機構部
【図１】
0003120108.tif 000003
【図２】
0003120108.tif 000004
【図３】
0003120108.tif 000005
【図４】
0003120108.tif 000006
【図５】
0003120108.tif 000007
【図６】
0003120108.tif 000008
【図７】
0003120108.tif 000009
【図８】
0003120108.tif 000010